(57)【要約】【課題】緊急時においてプラントの状況報告に基づく情報を明示すること。【解決手段】多様な報告データが記憶されるデータベース４３と、表示部１１と、を有し、緊急時におけるプラントの状況の報告データがデータベース４３に記憶された場合、データベース４３に記憶された報告データから表示データを生成し、プラントにおける緊急時用設備の配置図表示データに対して表示データを付加して表示部１１に表示する。【選択図】図１
2016194920.tif 000002
【特許請求の範囲】
【請求項１】
多様な報告データが記憶されるデータベースと、
表示部と、
を有し、
緊急時におけるプラントの状況の報告データが前記データベースに記憶された場合、前記データベースに記憶された報告データから表示データを生成し、プラントにおける緊急時用設備の配置図表示データに対して前記表示データを付加して前記表示部に表示することを特徴とする緊急時プラント状況表示装置。
【請求項２】
前記配置図表示データは、前記プラントに対する給水設備を含み、この設備に関する報告データが前記データベースに記憶された場合、当該報告データから表示データを生成し、前記配置図表示データの給水設備に前記表示データを反映して前記表示部に表示することを特徴とする請求項１に記載の緊急時プラント状況表示装置。
【請求項３】
前記配置図表示データは、前記プラントに対する給電設備を含み、この設備に関する報告データが前記データベースに記憶された場合、当該報告データから表示データを生成し、前記配置図表示データの給電設備に前記表示データを反映して前記表示部に表示することを特徴とする請求項１または２に記載の緊急時プラント状況表示装置。
【請求項４】
前記配置図表示データは、前記プラントにおける計測機を含み、この計測機に関する報告データが前記データベースに記憶された場合、当該報告データから表示データを生成し、前記配置図表示データに前記表示データを反映して前記表示部に表示することを特徴とする請求項１から３のいずれか１つに記載の緊急時プラント状況表示装置。
【請求項５】
ネットワークを介して複数の表示部に対して前記配置図表示データおよび前記表示データを共有することを特徴とする請求項１から４のいずれか１つに記載の緊急時プラント状況表示装置。
【請求項６】
前記表示部に表示された前記表示データが異常であると判定された場合、
前記データベースに記憶された正しい報告データから正しい表示データを生成し、前記配置図表示データに対して前記正しい表示データを付加して前記表示部に表示することを特徴とする請求項１から５のいずれか１つに記載の緊急時プラント状況表示装置。
【請求項７】
異常であると判定された前記表示データを前記正しい表示データと共に前記表示部に表示することを特徴とする請求項６に記載の緊急時プラント状況表示装置。
【請求項８】
前記データベースに前記正しい報告データが記憶された時刻を当該正しい報告データに付加して前記正しい表示データを作成し、前記配置図表示データに対して前記正しい表示データを時刻と共に前記表示部に表示することを特徴とする請求項６または７に記載の緊急時プラント状況表示装置。
【請求項９】
緊急時におけるプラントの状況の報告データがデータベースに記憶された場合、
前記データベースに記憶された報告データから表示データを生成する工程と、
プラントにおける緊急時用設備の配置図表示データに対して前記表示データを付加して表示部に表示する工程と、
を含むことを特徴とする緊急時プラント状況表示方法。
【請求項１０】
配置図表示データに付加されて前記表示部に表示された前記表示データが異常であると判定された場合、
前記データベースに記憶された正しい報告データから正しい表示データを生成する工程と、
前記配置図表示データに対して前記正しい表示データを付加して前記表示部に表示する工程と、
をさらに含むことを特徴とする請求項９に記載の緊急時プラント状況表示方法。
【発明の詳細な説明】
【技術分野】
【０００１】
本発明は、例えば、緊急時にプラントの状況の表示を行う緊急時プラント状況表示装置および緊急時プラント状況表示方法に関するものである。
【背景技術】
【０００２】
例えば、原子力発電プラントは、原子炉、蒸気タービン、発電機などにより構成されている。そして、原子炉として加圧水型原子炉（ＰＷＲ：Pressurized  Water  Reactor）を適用した場合、加圧水型原子炉は、軽水を原子炉冷却材および中性子減速材として使用し、炉心全体にわたって沸騰しない高温高圧水を生成する。蒸気発生器は、この高温高圧水（一次冷却水）と二次冷却水との間で熱交換し、蒸気を生成する。そして、蒸気タービンは、この蒸気によりタービンを駆動し、発電機はこの駆動力により発電する。
【０００３】
このような原子力発電プラントにて、過酷事故（シビアアクシデント）が発生した場合、各所に災害対策室を設け、事故の状況を把握し、対策を講じる必要がある。一般的に、災害対策室は、大人数の関係者を召集し、プラントの状況把握や対策フローなどの指揮命令に必要な情報を提示する。
【０００４】
一般的な意思決定支援システムとしては、例えば、下記特許文献１から３に記載されたものがある。例えば、特許文献１に記載された意思決定支援システムは、意思決定に必要な情報を、意思決定支援装置からネットワークを介して各種端末に配信するために、意思決定の原因となるイベントをイベント管理部で検知し、イベントに応じたタスク（業務）割当て及び通知すべき情報を、イベントに応じて情報相関管理部で管理される各情報の相関関係を用いて決定するものである。また、災害時の情報を管理する技術として、下記特許文献４から６に記載されたものがある。
【先行技術文献】
【特許文献】
【０００５】
【特許文献１】特開２０１３−０８８８２９号公報
【特許文献２】特開２０１４−０７８０７０号公報
【特許文献３】国際公開第２０１４／０５７８３５号
【特許文献４】特開２００６−２９２４０２号公報
【特許文献５】特開２０１１−２１０２０５号公報
【特許文献６】特開２００３−１７７６８６号公報
【発明の概要】
【発明が解決しようとする課題】
【０００６】
ところで、プラントにおいては、過酷事故が発生した場合、冷却機能の状況報告に基づいて情報を把握することが望まれている。
【０００７】
本発明は、上述した課題を解決するものであり、緊急時においてプラントの状況報告に基づく情報を明示することのできる緊急時プラント状況表示装置および緊急時プラント状況表示方法を提供することを目的とする。
【課題を解決するための手段】
【０００８】
上記の目的を達成するための本発明の緊急時プラント状況表示装置は、多様な報告データが記憶されるデータベースと、表示部と、を有し、緊急時におけるプラントの状況の報告データが前記データベースに記憶された場合、前記データベースに記憶された報告データから表示データを生成し、プラントにおける緊急時用設備の配置図表示データに対して前記表示データを付加して前記表示部に表示することを特徴とする。
【０００９】
この緊急時プラント状況表示装置によれば、データベースに記憶されている緊急時におけるプラントの状況の報告データから表示データを生成し、プラントにおける緊急時用設備の配置図表示データに付加して表示部に表示することで、緊急時においてプラントの状況報告に基づく情報を明示することができる。
【００１０】
本発明の緊急時プラント状況表示装置では、前記配置図表示データは、前記プラントに対する給水設備を含み、この設備に関する報告データが前記データベースに記憶された場合、当該報告データから表示データを生成し、前記配置図表示データの給水設備に前記表示データを反映して前記表示部に表示することを特徴とする。
【００１１】
この緊急時プラント状況表示装置によれば、緊急時においてプラントの給水設備の状況報告に基づく情報を明示することができる。
【００１２】
本発明の緊急時プラント状況表示装置では、前記配置図表示データは、前記プラントに対する給電設備を含み、この設備に関する報告データが前記データベースに記憶された場合、当該報告データから表示データを生成し、前記配置図表示データの給電設備に前記表示データを反映して前記表示部に表示することを特徴とする。
【００１３】
この緊急時プラント状況表示装置によれば、緊急時においてプラントの給電設備の状況報告に基づく情報を明示することができる。
【００１４】
本発明の緊急時プラント状況表示装置では、前記配置図表示データは、前記プラントにおける計測機を含み、この計測機に関する報告データが前記データベースに記憶された場合、当該報告データから表示データを生成し、前記配置図表示データに前記表示データを反映して前記表示部に表示することを特徴とする。
【００１５】
この緊急時プラント状況表示装置によれば、緊急時においてプラントの計測機の計測値の状況報告に基づく情報を明示することができる。
【００１６】
本発明の緊急時プラント状況表示装置では、ネットワークを介して複数の表示部に対して前記配置図表示データおよび前記表示データを共有することを特徴とする。
【００１７】
この緊急時プラント状況表示装置によれば、ネットワークを介して緊急時におけるプラントの状況報告に基づく情報を各所に通知することができる。
【００１８】
本発明の緊急時プラント状況表示装置では、前記表示部に表示された前記表示データが異常であると判定された場合、前記データベースに記憶された正しい報告データから正しい表示データを生成し、前記配置図表示データに対して前記正しい表示データを付加して前記表示部に表示することを特徴とする。
【００１９】
この緊急時プラント状況表示装置によれば、異常と判定した表示について、正しい報告データに基づく正しい表示データを生成して表示部に表示することで、適した状況報告を表示することができる。この結果、緊急時の事態を収束させる意思決定の適した判断基準として活用することができる。
【００２０】
本発明の緊急時プラント状況表示装置では、異常であると判定された前記表示データを前記正しい表示データと共に前記表示部に表示することを特徴とする。
【００２１】
この緊急時プラント状況表示装置によれば、異常であると判定された表示データを残すことで、異常であると判定された表示データと正しい表示データとを比較することができる。
【００２２】
本発明の緊急時プラント状況表示装置では、前記データベースに前記正しい報告データが記憶された時刻を当該正しい報告データに付加して前記正しい表示データを作成し、前記配置図表示データに対して前記正しい表示データを時刻と共に前記表示部に表示することを特徴とする。
【００２３】
この緊急時プラント状況表示装置によれば、異常であると判定された場合に表示された正しい表示データの時刻を明示することができる。この結果、緊急時の事態を収束させる意思決定の適した判断基準として活用することができる。
【００２４】
本発明の緊急時プラント状況表示方法は、緊急時におけるプラントの状況の報告データがデータベースに記憶された場合、前記データベースに記憶された報告データから表示データを生成する工程と、プラントにおける緊急時用設備の配置図表示データに対して前記表示データを付加して表示部に表示する工程と、を含むことを特徴とする。
【００２５】
この緊急時プラント状況表示方法によれば、緊急時においてプラントの状況報告に基づく情報がプラントにおける緊急時用設備の配置図に付加して表示することで、表示部の表示により配置図に対応する箇所の状況報告がわかりやすくなり、緊急時の事態を収束させる意思決定の判断基準として活用することができる。
【００２６】
本発明の緊急時プラント状況表示方法では、配置図表示データに付加されて前記表示部に表示された前記表示データが異常であると判定された場合、前記データベースに記憶された正しい報告データから正しい表示データを生成する工程と、前記配置図表示データに対して前記正しい表示データを付加して前記表示部に表示する工程と、をさらに含むことを特徴とする。
【００２７】
この緊急時プラント状況表示方法によれば、適した状況報告を表示することができ、緊急時の事態を収束させる意思決定の適した判断基準として活用することができる。
【発明の効果】
【００２８】
本発明によれば、緊急時においてプラントの状況報告に基づく情報を明示することができる。
【図面の簡単な説明】
【００２９】
【図１】図１は、本発明に係る実施形態の緊急時プラント状況表示装置を表す概略構成図である。
【図２】図２は、本発明に係る実施形態の緊急時プラント状況表示装置の表示例を表す概略図である。
【図３】図３は、本発明に係る実施形態の緊急時プラント状況表示装置の適用例を表す概略構成図である。
【図４】図４は、本発明に係る実施形態の緊急時プラント状況表示装置の他の例を表す概略構成図である。
【図５】図５は、本発明に係る実施形態の緊急時プラント状況表示装置の表示例を表す概略図である。
【図６】図６は、本発明に係る実施形態の緊急時プラント状況表示装置における動作を示すフォローチャート図である。
【図７】図７は、本発明に係る実施形態の緊急時プラント状況表示装置の表示例を表す概略図である。
【図８】図８は、本発明に係る実施形態の緊急時プラント状況表示装置における動作を示すフォローチャート図である。
【発明を実施するための形態】
【００３０】
以下に添付図面を参照して、本発明に係る意思決定支援システムの好適な実施形態を詳細に説明する。なお、この実施形態により本発明が限定されるものではなく、また、実施形態が複数ある場合には、各実施形態を組み合わせて構成するものも含むものである。
【００３１】
［実施形態１］
図１は、本実施形態の緊急時プラント状況表示装置を表す概略構成図である。図２は、本実施形態の緊急時プラント状況表示装置の表示例を表す概略図である。
【００３２】
緊急時プラント状況表示装置１０は、会議システムに用いられる。会議システムは、本実施形態では、緊急時の意思決定支援システムを例示する。なお、意思決定支援システムは、例えば、原子力発電プラントに配置され、この原子力発電プラントの緊急時において様々な事象に対応する意思を決定する会議を実施するにあたりこれを支援するためのシステムである。
【００３３】
図１に示すように、緊急時プラント状況表示装置１０は、表示部１１と操作部１２と、Ｉ／Ｆ部４１と、情報管理部４２と、データベース４３と、を有している。また、本実施形態の緊急時プラント状況表示装置１０は、入力機器４４と、出力機器４５とを有している。また、本実施形態の緊急時プラント状況表示装置１０は、原子力発電プラントにおける緊急時の意思決定支援システムとして適用される場合、シミュレーション部４６をさらに有する。
【００３４】
表示部１１は、例えば、会議に関わる複数の人員が見ることのできる大型のディスプレイである。操作部１２は、表示部１１の表示を操作したり、当該表示に伴う様々な情報を入力したりするものである。操作部１２は、表示部１１の画面に設けられたタッチパネル、または表示部１１に接続されたマウスやキーボードがある。
【００３５】
Ｉ／Ｆ部４１は、入出力部として構成され、各種データの入出力を行うものである。具体的に、Ｉ／Ｆ部４１は、入力機器４４および出力機器４５が接続される。入力機器４４は、パーソナルコンピュータやモバイル端末（タブレット端末）などがある。この入力機器４４は、電話で受けた情報やファクシミリで受けた情報などをＩ／Ｆ部４１に入力することができる。また、入力機器４４は、複数あってもよい。出力機器４５は、プリンタ装置やモバイル端末（タブレット端末）などがある。
【００３６】
また、Ｉ／Ｆ部４１は、緊急時プラント状況表示装置１０が原子力発電プラントにおける緊急時の意思決定支援システムとして適用される場合、緊急時運転パラメータ伝送システム３３を介してプラントシステム３２が接続されると共に、サブシステム３１が接続されている。プラントシステム３２は、原子炉の各種データ（原子炉内の各種温度や流量などのデータ）を管理するものであり、必要に応じて原子力発電プラントの各種データをＩ／Ｆ部４１に入力する。緊急時運転パラメータ伝送システム３３は、プラントの緊急時に各種の運転パラメータをＩ／Ｆ部４１に入力する。サブシステム３１は、原子力発電プラント以外の各種データ（気象データなど）を管理するものであり、必要に応じてこの各種データをＩ／Ｆ部４１に入力する。
【００３７】
情報管理部４２は、外部から入力された各種データを加工することで、表示部１１に表示させる表示データを作成する。また、情報管理部４２は、操作部１２の操作に基づき、表示部１１の表示を切り替える。また、情報管理部４２は、入力情報を表示部１１に表示されている表示データに付加して表示部１１に表示させる。
【００３８】
データベース４３は、外部から入力した各種データや情報管理部４２が生成した表示データなどを記憶するものである。データベース４３に記憶されるデータは、情報管理部４２が取り出すことができる。
【００３９】
シミュレーション部４６は、緊急時プラント状況表示装置１０が原子力発電プラントにおける緊急時の意思決定支援システムとして適用される場合、情報管理部４２が収集したプラントデータに基づいてプラントの経時的変化を予測演算してプラント予測データを生成するものである。
【００４０】
このように構成された緊急時プラント状況表示装置１０は、緊急時の意思決定支援システムとして適用される。例えば、過酷事故（シビアアクシデント）が発生した場合、まず、プラントシステム３２から原子炉トリップ信号が入力される。すると、情報管理部４２は、サブシステム３１やプラントシステム３２や緊急時運転パラメータ伝送システム３３から必要なプラントデータを収集する場合もあり、その場合は、収集したプラントデータに基づいて表示データを生成し、この表示データを表示部１１に表示する。また、情報管理部４２は、収集したプラントデータに基づいてシミュレーション部４６でプラント予測データを生成させ、このプラント予測データに基づいて表示データを生成し、この表示データを表示部１１に表示する。また、情報管理部４２は、入力機器４４から入力された情報を加工して表示データを生成し、この表示データを表示部１１に表示する。
【００４１】
ところで、プラントにおいて、過酷事故が発生した場合、プラントの状況が報告されるが、この状況報告に基づいて情報を把握する必要がある。
【００４２】
本実施形態の緊急時プラント状況表示装置１０において、データベース４３は、図２に示すように、プラントにおける緊急時用設備の配置図表示データが記憶されている。この配置図表示データは、情報管理部４２が取得して表示部１１に表示する。図２では、表示部１１に表示される配置図表示データの一例を示している。ここでの配置図表示データは、過酷事故が発生した場合に用いられる冷却機能であって、図２の左側に、給水設備としてのタンク（各種ピット）１１Ａａ、配管１１Ａｂ、ポンプ１１Ａｃ、弁（逆止弁含む）１１Ａｄ、可搬式給水設備１１Ａｅや、給電設備（Ｍ／Ｃ）１１Ａｆ、蓄電池１１Ａｇ、非常用発電機（ＤＧ）１１Ａｈ、可搬式給電設備（Ａ）１１Ａｉ、可搬式給電設備（Ｒ）１１Ａｊや、計測機による計測値などを示す配置図１１Ａがある。また、配置図表示データは、図２の右側に、モニタリングポスト（放射線量）、モニタリング（放水量・排気量）、給水設備の状況、給電設備の状況、計測機による計測値などを示す表図１１Ｂがある。
【００４３】
また、データベース４３は、Ｉ／Ｆ部４１を介して入力されたプラントの状況に関する報告データが記憶される。情報管理部４２は、データベース４３に記憶される報告データを取得し、当該報告データから表示データを生成し、配置図表示データに対して表示データを付加して表示部１１に表示することができる。
【００４４】
具体的に、報告データとして、図２に示すように、Ａ設備２１とＢ設備２２との間の冷却系に循環していることがデータベース４３に入力され記憶されると、情報管理部４２は、当該報告データから表示データを生成し、配置図表示データの配置図１１Ａに流れを表す動的表示を付加して表示部１１に表示することができる。
【００４５】
また、報告データとして、図２に示すように、Ａタンク１１ＡａからＢ設備２２の冷却系に給水が行われていることや、Ｂ設備２２から一部が排気されていることがデータベース４３に入力され記憶されると、情報管理部４２は、当該報告データから表示データを生成し、配置図表示データの配置図１１Ａに流れを表す動的表示を付加して表示部１１に表示することができる。
【００４６】
また、報告データとして、図２に示すように、可搬式給水設備１１Ａｅが接続され、Ａ設備冷却系に給水されていることがデータベース４３に入力され記憶されると、情報管理部４２は、当該報告データから表示データを生成し、配置図表示データの配置図１１Ａに可搬式給水設備１１Ａｅが接続されている表示、および給水の流れを表す動的表示を付加して表示部１１に表示することができる。
【００４７】
また、報告データとして、計測機による計測値がデータベース４３に入力され記憶されると、情報管理部４２は、当該報告データから表示データを生成し、図２に示すように、配置図表示データの配置図１１Ａに計測値を付加して表示部１１に表示することができる。
【００４８】
また、報告データとして、図２に示すように、蓄電池１１Ａｇが使用不可になり、非常用発電機１１Ａｈがトリップしたこと、データベース４３に入力され記憶されると、情報管理部４２は、当該報告データから表示データを生成し、配置図表示データの配置図１１Ａに蓄電池１１Ａｇおよび非常用発電機１１Ａｈに使用不可やトリップであることを表す記号（図２では×印）を付加して表示部１１に表示することができる。
【００４９】
また、報告データとして、図２に示すように、可搬式給電設備（Ａ）１１Ａｉが給電設備１１Ａｆに接続され、給電設備１１Ａｆに給電されていることがデータベース４３に入力され記憶されると、情報管理部４２は、当該報告データから表示データを生成し、配置図表示データの配置図１１Ａに可搬式給電設備（Ａ）１１Ａｉが接続されている表示、および給電の流れを表す動的表示を付加して表示部１１に表示することができる。
【００５０】
一方、報告データとして、上記内容やその他計測機による計測値がデータベース４３に入力され記憶されると、情報管理部４２は、当該報告データから表示データを生成し、配置図表示データの表図１１Ｂに記載を付加して表示部１１に表示することができる。
【００５１】
図３は、本実施形態の緊急時プラント状況表示装置の適用例を表す概略構成図である。図３に示す実施形態は、プラントに配置された緊急時の意思決定支援システム１０Ａが上述した緊急時プラント状況表示装置１０として構成され、その他複数の緊急時の意思決定支援システム１０Ｂ，１０Ｃ，１０Ｄ…に対して原子炉に関する総合的な災害時に活用するネットワーク（以下、ネットワークという）５０を介して相互に各種データを送受信できるように接続されている点が上述した実施形態と異なり、その他の構成は同様である。従って、図３に係る説明では、上述した実施形態と同等の構成に同一の符号を付して説明を省略する。
【００５２】
意思決定支援システム１０Ａ，１０Ｂ，１０Ｃ，１０Ｄ…は、原子力発電プラントにおける緊急時の意思決定支援システムとして用いられ、それぞれ原子力発電プラント、電力会社、地方自治体、国（政府政策機関、規制庁、オフサイトセンター）、プラントメーカに配置される。
【００５３】
各意思決定支援システム１０Ａ，１０Ｂ，１０Ｃ，１０Ｄ…は、同期管理部４７を有する。同期管理部４７は、Ｉ／Ｆ部４１と情報管理部４２との間でそれぞれに接続されていると共に、ネットワーク５０に接続され、他の意思決定支援システムとの間で情報の共有を行うものである。例えば、同期管理部４７は、ネットワーク５０を通して各種のデータの送受信を行い、データの更新を行う。また、同期管理部４７は、ネットワーク５０が切断され、所定期間が経過して再びネットワーク５０が接続されたとき、他の意思決定支援システムから受信したデータに基づいてデータの更新を行う。即ち、各意思決定支援システム１０Ａ，１０Ｂ，１０Ｃ，１０Ｄ…は、ネットワーク５０に接続されることで、各種の情報を共有可能に構成されている。また、データベース４３は、各意思決定支援システム１０Ａ，１０Ｂ，１０Ｃ，１０Ｄ…にそれぞれ接続されていてもよいが、図３に示すように、単一のデータベース４３がネットワーク５０に接続され、各意思決定支援システム１０Ａ，１０Ｂ，１０Ｃ，１０Ｄ…がネットワーク５０を介して各種の情報を共有可能に構成されていてもよい。
【００５４】
また、情報管理部４２は、緊急時に必要な緊急時情報に基づいて表示データを生成すると共に、ネットワーク５０を介して緊急時情報を共有することができる。ここで、緊急時情報とは、例えば、下記に記載するものである。
１．人員リソース管理情報−入力機器４４を用いて入力
２．後方支援（物資運搬）情報−入力機器４４を用いて入力
３．放射線モニタリング（周辺、所内、建物内）情報−モニタリングポストからネットワーク５０を通して入力
４．気象情報、風向情報、地震情報、津波情報−ネットワーク５０を通して入力
５．プラント内の被害状況（カメラ映像、崖崩れ、復旧状況）情報−入力機器４４を用いて入力
６．プラント炉心情報（燃料温度、炉内温度、炉内圧力等）−緊急時運転パラメータ伝送システム３３から入力
７．プラント状況の進展予測情報−シミュレーション部４６から入力
８．プラント周辺の送電情報−電力会社からネットワーク５０を通して入力
９．プラント内対応状況（可搬式設備の状況）情報−入力機器４４を用いて入力
１０．原子炉設計図面など保管義務のある資料の情報−データベース４３からネットワーク５０を通して入力
１１．タスク管理情報−入力機器４４を用いて入力
１２．ＦＡＸ画像情報など−入力機器４４を用いて入力
【００５５】
そして、情報管理部４２は、この緊急時情報のうちの意思決定に必要な情報だけを選択して表示データを生成すると共に、ネットワーク５０を介して他の意思決定支援システムと表示データを共有する。即ち、緊急時の意思決定支援システムとして適用される意思決定支援システム１０Ａ，１０Ｂ，１０Ｃ，１０Ｄ…は、原子力発電プラント、電力会社、地方自治体、国、プラントメーカなど、各所の異なる位置に配置されていることから、必要となる緊急時情報も異なる。そのため、意思決定支援システム１０Ａ，１０Ｂ，１０Ｃ，１０Ｄ…は、予め、緊急時情報に優先度を付け、優先度の高い情報だけを選択して表示する。
【００５６】
この場合、情報管理部４２が選択する意思決定に必要な情報は、リアルタイム情報を含めた最新の情報を含んでいる。即ち、各種の緊急時情報は、随時、入力機器４４や操作部１２やネットワーク５０から情報管理部４２に入力されるが、日時と共にデータベース４３に保存しており、常に最新のものを表示する。リアルタイム情報としては、緊急時運転パラメータ伝送システム３３から入力されるプラント炉心情報（燃料温度、炉内温度、炉内圧力等）、ネットワーク５０を通して入力される放射線モニタリング（周辺、所内、建物内）情報などがある。
【００５７】
また、情報管理部４２が選択する意思決定に必要な情報は、所定の優先表示基準を満たした情報を含み、この情報に基づいた表示データを表示部１１に優先表示させる。ここで、優先表示基準とは、危険度の高い情報や重要度の高い情報である。例えば、プラントにて、燃料温度や炉内温度や炉内圧力の各変化率が予め設定された基準値を超えたときにこの情報を優先的に表示する。また、降雨量や風速や震度などの気象状況が大幅に変動したときにこの情報を優先的に表示する。また、放射線モニタリング（周辺、所内、建物内）情報の一部である空間線量率が予め設定された基準値を超えたときにこの情報を優先的に表示する。また、予め設定された指示機関（例えば、国）からの情報を優先的に表示する。
【００５８】
情報管理部４２は、所定の優先表示基準を満たした情報を表示部１１に表示するとき、その優先度（重要度）に応じて表示部１１に強調表示（例えば、表示自体が飛び出すようにポップアップさせる）する。
【００５９】
また、情報管理部４２は、選択する意思決定に必要な情報をデータベース４３に記憶された緊急時情報を対応策の項目ごとに整理した表示データとして表示部１１に表示する。ここで、対応策の項目とは、例えば、以下に記載するものである。
１．避難時期
２．避難ルート
３．避難場所
４．作業手順
５．人員配置
６．作業者ルート
７．電源ルート
８．運搬物資の種類と数
【００６０】
データベース４３は、多数の緊急時情報が記憶されているが、情報管理部４２は、データベース４３に記憶されている多数の緊急時情報から、各対応策の項目を決定するために必要な緊急時情報だけを表示データとして表示部１１に表示する。
【００６１】
また、情報管理部４２が選択する意思決定に必要な情報は、情報管理部４２が緊急時情報に基づいて経時的変化を予測演算し生成した予測データを含んでいる。シミュレーション部４６は、情報管理部４２が収集したプラントデータに基づいてプラントの経時的変化を予測演算してプラント予測データを生成する。情報管理部４２は、シミュレーション部４６が予測演算して得たプラント予測データを表示することができる。
【００６２】
このような意思決定支援システム１０Ａにおいて、過酷事故が発生した場合、情報管理部４２は、プラントシステム３２から必要なプラントデータ（緊急時情報）を収集すると共に、ネットワーク５０から各種の緊急時情報を収集する。そして、情報管理部４２は、収集した各種の緊急時情報に基づいて表示データを生成し、表示部１１は、この表示データを表示する。また、情報管理部４２は、入力機器４４から入力された情報を加工して表示データを生成し、表示部１１は、この表示データを表示する。
【００６３】
特に、本実施形態の意思決定支援システム１０Ａは、緊急時プラント状況表示装置１０として構成されており、この緊急時プラント状況表示装置１０は、多様な報告データが記憶されるデータベース４３と、表示部１１と、を有し、緊急時におけるプラントの状況の報告データがデータベース４３に記憶された場合、情報管理部４２は、データベース４３に記憶された報告データから表示データを生成し、プラントにおける緊急時用設備の配置図表示データに対して表示データを付加して表示部１１に表示する。
【００６４】
この緊急時プラント状況表示装置１０によれば、データベース４３に記憶されている緊急時におけるプラントの状況の報告データから表示データを生成し、プラントにおける緊急時用設備の配置図表示データに付加して表示部１１に表示することで、緊急時においてプラントの状況報告に基づく情報を明示することができる。
【００６５】
また、本実施形態の緊急時プラント状況表示装置１０では、配置図表示データは、プラントに対する給水設備を含み、この設備に関する報告データがデータベース４３に記憶された場合、情報管理部４２は、当該報告データから表示データを生成し、配置図表示データの給水設備に表示データを反映して表示部１１に表示する。
【００６６】
この緊急時プラント状況表示装置１０によれば、緊急時においてプラントの給水設備の状況報告に基づく情報を明示することができる。
【００６７】
また、本実施形態の緊急時プラント状況表示装置１０では、配置図表示データは、プラントに対する給電設備を含み、この設備に関する報告データがデータベース４３に記憶された場合、情報管理部４２は、当該報告データから表示データを生成し、配置図表示データの給電設備に表示データを反映して表示部１１に表示する。
【００６８】
この緊急時プラント状況表示装置１０によれば、緊急時においてプラントの給電設備の状況報告に基づく情報を明示することができる。
【００６９】
また、本実施形態の緊急時プラント状況表示装置１０では、配置図表示データは、プラントにおける計測機を含み、この計測機に関する報告データがデータベース４３に記憶された場合、情報管理部４２は、当該報告データから表示データを生成し、配置図表示データに表示データを反映して表示部１１に表示する。
【００７０】
この緊急時プラント状況表示装置１０によれば、緊急時においてプラントの計測機の計測値の状況報告に基づく情報を明示することができる。
【００７１】
また、本実施形態の緊急時プラント状況表示装置１０では、ネットワーク５０を介して複数の表示部１１に対して配置図表示データおよび表示データを共有する。
【００７２】
この緊急時プラント状況表示装置１０によれば、ネットワーク５０を介して緊急時におけるプラントの状況報告に基づく情報を各所に通知することができる。
【００７３】
［実施形態２］
本実施形態の緊急時プラント状況表示装置の構成は、図１や図３に示す構成と同様の構成を有する。従って、本実施形態の説明において、実施形態１と同等部分には同一符号を付して説明を省略する。
【００７４】
図４は、緊急時プラント状況表示装置の他の例を表す概略構成図である。図５および図７は、緊急時プラント状況表示装置の表示例を表す概略図である。図６および図８は、緊急時プラント状況表示装置における動作を示すフォローチャート図である。
【００７５】
図４に示すように、情報管理部４２は、中央処理装置（ＣＰＵ：Central  Processing  Unit）４２ａおよびメモリ４２ｂを含む。中央処理装置４２ａは、プログラムにより上述した実施形態１における情報管理部４２の動作を処理する。メモリ４２ｂは、中央処理装置４２ａを動作させるプログラムが記憶されている。なお、図４に示す緊急時プラント状況表示装置１０は、図３に示したように、ネットワーク５０を介して相互に各種データを送受信できるように接続されていてもよい。
【００７６】
このように構成された緊急時プラント状況表示装置１０は、緊急時の意思決定支援システムとして適用される。例えば、過酷事故（シビアアクシデント）が発生した場合、まず、プラントシステム３２から原子炉トリップ信号が入力される。すると、情報管理部４２は、サブシステム３１やプラントシステム３２や緊急時運転パラメータ伝送システム３３から必要なプラントデータを収集する場合もあり、その場合は、収集したプラントデータに基づいて表示データを生成し、この表示データを表示部１１に表示する。また、情報管理部４２は、収集したプラントデータに基づいてシミュレーション部４６でプラント予測データを生成させ、このプラント予測データに基づいて表示データを生成し、この表示データを表示部１１に表示する。また、情報管理部４２は、入力機器４４から入力された情報を加工して表示データを生成し、この表示データを表示部１１に表示する。
【００７７】
このようなプラントにおいて、過酷事故が発生した場合、プラントの状況が報告されるが、この状況報告に基づいて情報を把握する必要がある。
【００７８】
本実施形態の緊急時プラント状況表示装置１０において、データベース４３は、図に５示すように、プラントにおける緊急時用設備の配置図表示データが記憶されている。この配置図表示データは、情報管理部４２が取得して表示部１１に表示する。図５では、表示部１１に表示される配置図表示データの一例を示している。ここでの配置図表示データは、過酷事故が発生した場合に用いられる冷却機能であって、給水設備としてのタンク（またはピット）１１Ａａ、配管１１Ａｂ、ポンプ１１Ａｃ、弁（逆止弁含む）１１Ａｄ、可搬式給水設備１１Ａｅや、給電設備１１Ａｆ、蓄電池１１Ａｇ、非常用発電機１１Ａｈ、可搬式給電設備１１Ａｉなどを示す配置図１１Ａがある。また、配置図表示データは、配置図１１Ａ内に、計測機による計測値などを示す表図１１Ｃがある。
【００７９】
また、データベース４３は、Ｉ／Ｆ部４１を介して入力されたプラントの状況に関する報告データが記憶される。情報管理部４２は、データベース４３に記憶される報告データを取得し、当該報告データから表示データを生成し、配置図表示データに対して表示データを付加して表示部１１に表示することができる。
【００８０】
具体的に、報告データとして、図５に示すように、設備２１と設備２２との間の冷却系に循環していることがデータベース４３に入力され記憶されると、情報管理部４２は、当該報告データから表示データを生成し、配置図表示データの配置図１１Ａに流れを表す動的表示を付加して表示部１１に表示することができる。
【００８１】
また、報告データとして、図５に示すように、タンク１１Ａａから設備２２の冷却系に給水が行われていることや、設備２２から一部が排気されていることがデータベース４３に入力され記憶されると、情報管理部４２は、当該報告データから表示データを生成し、配置図表示データの配置図１１Ａに流れを表す動的表示を付加して表示部１１に表示することができる。
【００８２】
また、報告データとして、図５に示すように、可搬式給水設備１１Ａｅが接続され、設備冷却系に給水されていることがデータベース４３に入力され記憶されると、情報管理部４２は、当該報告データから表示データを生成し、配置図表示データの配置図１１Ａに可搬式給水設備１１Ａｅが接続されている表示、および給水の流れを表す動的表示を付加して表示部１１に表示することができる。
【００８３】
また、報告データとして、図５に示すように、可搬式給電設備１１Ａｉが給電設備１１Ａｆに接続され、給電設備１１Ａｆに給電されていることがデータベース４３に入力され記憶されると、情報管理部４２は、当該報告データから表示データを生成し、配置図表示データの配置図１１Ａに可搬式給電設備１１Ａｉが接続されている表示、および給電の流れを表す動的表示を付加して表示部１１に表示することができる。
【００８４】
また、報告データとして、図５に示すように、各設備１１Ａａ〜１１Ａｉが正常に機能している状態や、停止中（閉止中）である状態や、故障などで機能していない状態であることがデータベース４３に入力され記憶されると、情報管理部４２は、当該報告データから表示データを生成し、配置図表示データの配置図１１Ａに、例えば、正常に機能している状態は実線、停止中（閉止中）である状態は破線（または薄線や薄色）、機能していない状態は×印などの表示を付加して表示部１１に表示することができる。
【００８５】
また、報告データとして、計測機による計測値やシミュレーションによる計算値や解析による解析値がデータベース４３に入力され記憶されると、情報管理部４２は、当該報告データから表示データを生成し、図５に示すように、配置図表示データの配置図１１Ａに計測値の表図１１Ｃを付加して表示部１１に表示することができる。
【００８６】
従って、緊急時プラント状況表示装置１０によれば、データベース４３に記憶されている緊急時におけるプラントの状況の報告データから表示データを生成し、プラントにおける緊急時用設備の配置図表示データに付加して表示部１１に表示することで、緊急時においてプラントの状況報告に基づく情報を明示することができる。
【００８７】
また、図６に示すように、本実施形態の緊急時プラント状況表示装置１０における情報管理部４２の動作である緊急時プラント状況表示方法は、緊急時におけるプラントの状況の報告データがデータベース４３に記憶された場合（ステップＳ１：Ｙｅｓ）、中央処理装置４２ａがメモリ４２ｂに記憶されたプログラムにより、データベース４３に記憶された報告データから表示データを生成する工程（ステップＳ２）と、プラントにおける緊急時用設備の配置図表示データに対して表示データを付加して表示部１１に表示する工程（ステップＳ３）と、を実行する。
【００８８】
従って、緊急時プラント状況表示方法によれば、緊急時においてプラントの状況報告に基づく情報がプラントにおける緊急時用設備の配置図に付加して表示することで、表示部１１の表示により配置図に対応する箇所の状況報告がわかりやすくなり、緊急時の事態を収束させる意思決定の判断基準として活用することができる。
【００８９】
ところで、表図１１Ｃを表示する表示データにおいて計測値が異常である場合、意思決定の判断基準として真偽が問われることになる。計測値が異常であるか否かの判定は、オペレータが過去事例や訓練による経験やマニュアルなどに基づき他の計測値と比較して判定することができる。オペレータが異常を判定した場合、オペレータがその旨の報告データを入力機器４４から入力することでデータベース４３に記憶され、情報管理部４２は、該当報告データから表示データを生成し、配置図表示データに付加して表示部１１に表示することができる。例えば、図７に示すように、異常であると判定した数値を線で囲ったりあるいは太字にしたりして表示させる。
【００９０】
また、オペレータが異常を判定した場合、該当する計測値を計測する計測機を確認することができれば、当該計測機の計測値を実際に確認して、確認した計測値の正しい報告データを入力機器４４から入力することでデータベース４３に記憶され、情報管理部４２は、該当正しい報告データから正しい表示データを生成し、配置図表示データに付加して表示部１１に表示することができる。例えば、図７に示すように、異常であると判定した数値をそのまま残して、その部分から吹出１１Ｃａにより表示させる。また、正しい報告データには、計測機を確認した時刻が含まれ、例えば、図７に示すように、この時刻も吹出１１Ｃａ内に表示させる。
【００９１】
一方、オペレータが異常を判定した場合、該当する計測値を計測する計測機を確認することができなければ、情報管理部４２は、シミュレーション部４６でプラント予測データを生成させ、このプラント予測データに基づいて正しい表示データを生成し、この正しい表示データを同様に吹出１１Ｃａにより表示部１１に表示する。なお、計測機を確認した表示であるか、プラント予測データに基づいた表示であるかは、吹出１１Ｃａの色分けなどにより明示することができる。
【００９２】
なお、表図１１Ｃを表示する表示データにおいて計測値が異常であるかの判定は、図４に示す判定部４８により自動的に行うことも可能である。この場合、データベース４３に過去事例や訓練やマニュアルなどの情報を記憶しておき、判定部４８は、この情報と表図１１Ｃの表示の計測値とを比較して表示の計測値が異常であるかを判定する。情報管理部４２は、この判定結果をデータベース４３に記憶し、表示データを生成し、上述のように異常であると判定した数値を線で囲ったりあるいは太字にしたりして表示させる。さらに、情報管理部４２は、計測機を確認した計測値や、プラント予測データに基づいた計測値の正しい表示データを、上述したように例えば吹出１１Ｃａにより表示させる。
【００９３】
また、計測機の計測値は、時々刻々と変化するため、その都度データベース４３に更新された報告データとして記憶される。情報管理部４２は、その都度、更新された報告データから表示データを生成し、配置図表示データに付加して表示部１１に表示する。そして、更新された表示データの計測値も上述したように判定され、異常判定の場合、情報管理部４２は、上述のように正しい表示データを表示させる。この際、以前に異常と判定されたが、更新された表示データにおいて計測値が正常である場合、情報管理部４２は、上述した吹出１１Ｃａの表示データを削除する。
【００９４】
このように、緊急時プラント状況表示装置１０は、表示部１１に表示された表示データが異常であると判定された場合、データベース４３に記憶された正しい報告データから正しい表示データを生成し、配置図表示データに対して正しい表示データを付加して表示部１１に表示する。
【００９５】
この緊急時プラント状況表示装置１０によれば、異常と判定した表示について、正しい報告データに基づく正しい表示データを生成して表示部１１に表示することで、適した状況報告を表示することができる。この結果、緊急時の事態を収束させる意思決定の適した判断基準として活用することができる。
【００９６】
また、緊急時プラント状況表示装置１０では、異常であると判定された表示データを正しい表示データと共に表示部１１に表示することが好ましい。
【００９７】
この緊急時プラント状況表示装置１０によれば、異常であると判定された表示データを残すことで、異常であると判定された表示データと正しい表示データとを比較することができる。
【００９８】
また、緊急時プラント状況表示装置１０では、データベース４３に正しい報告データが記憶された時刻を当該報告データに付加して正しい表示データを作成し、配置図表示データに対して正しい表示データを時刻と共に表示部１１に表示することが好ましい。
【００９９】
この緊急時プラント状況表示装置１０によれば、異常であると判定された場合に表示された正しい表示データの時刻を明示することができる。この結果、緊急時の事態を収束させる意思決定の適した判断基準として活用することができる。
【０１００】
また、図８に示すように、本実施形態の緊急時プラント状況表示装置１０における情報管理部４２の動作である緊急時プラント状況表示方法は、表示データが異常である場合（ステップＳ１１）、正しい報告データがデータベース４３に記憶された場合（ステップＳ１２：Ｙｅｓ）、中央処理装置４２ａがメモリ４２ｂに記憶されたプログラムにより、データベース４３に記憶された正しい報告データから正しい表示データを生成する工程（ステップＳ１３）と、プラントにおける緊急時用設備の配置図表示データに対して正しい表示データを付加して表示部１１に表示する工程（ステップＳ１４）と、を実行する。
【０１０１】
従って、緊急時プラント状況表示方法によれば、適した状況報告を表示することができ、緊急時の事態を収束させる意思決定の適した判断基準として活用することができる。
【符号の説明】
【０１０２】
１０  緊急時プラント状況表示装置
１１  表示部
１１Ａ  配置図
１１Ｂ  表図
４２  情報管理部
４３  データベース
５０  ネットワーク
【図１】
2016194920.tif 000003
【図２】
2016194920.tif 000004
【図３】
2016194920.tif 000005
【図４】
2016194920.tif 000006
【図５】
2016194920.tif 000007
【図６】
2016194920.tif 000008
【図７】
2016194920.tif 000009
【図８】
2016194920.tif 000010